(57)【要約】      （修正有）【課題】簡単な構造で上記受枠から計量器上まで、あるいは計量器上から受枠まで、ぶどうや桃等を入れた箱をいちいち手で特上げて移し変える必要がないことはもちろん、長時間に使用にも無理なく耐えることができる収穫物の計量装置を提供する。【解決手段】箱入りの収穫物を搭載可能な計量器１１と、該計量器１１を所定位置に搭載した台枠１２と、台枠１２から所定高さの連結枠１４を介して、首振り自在に保持された受枠１３とを有し、台枠１２に回転自在に軸着され、前端には受枠１３の端部をスライド可能に支承する支承部１５ａを備えるとともに、軸部１６の後部には操作レバー１５を延長し、この操作レバー１５を用いたてこの原理で、受枠１３を傾斜した作業位置と、水平に保持する計量位置とに作動させる。【選択図】図１
0003218214.tif 000002
【実用新案登録請求の範囲】
【請求項１】
箱入りの収穫物を搭載可能な計量器と、該計量器を所定位置に搭載した台枠と、台枠から所定高さの連結枠を介して、首振り自在に保持された受枠とを有し、前記台枠に回転自在に軸着され、前端には受枠の端部をスライド可能に支承する支承部を備えるとともに、軸部の後部には操作レバーを延長し、この操作レバーを用いた「てこの原理」で前記受枠を傾斜した作業位置と、水平に保持する計量位置とに作動させるようにしたことを特徴とする収穫物の計量装置。
【請求項２】
前記台枠から所定高さに立設された連結枠は、計量器の高さや収穫物を入れた箱の高さに応じて、適宜異なる高さの連結枠と交換できるようにしたことを特徴とする請求項１に記載の収穫物の計量装置。
【請求項３】
前記箱入りの収穫物を搭載可能な計量器は、収穫物の搭載面が適宜方向に拡幅されていることを特徴とする請求項１または２に記載の収穫物の計量装置。
【請求項４】
前記受枠の端部をスライド可能に支承する支承部は、スライド時の抵抗を減少させるローラが付設されていることを特徴とする請求項１ないし３のいずれかに記載の収穫物の計量装置。
【請求項５】
前記収穫物の計量装置は、前記受枠の側方からスライドさせて前記箱入りの収穫物を受枠上に搭載可能とする補助台を具備するようにしたことを特徴とする請求項１ないし４のいずれかに記載の収穫物の計量装置。
【考案の詳細な説明】
【技術分野】
【０００１】
この考案は、ぶどうや桃等を箱詰めしつつ、その重量を計量する収穫物の計量装置に関するものである。
【背景技術】
【０００２】
従来、ぶどうや桃等を箱詰めしつつその重量を計量する場合、前下がりに傾斜した受枠に箱を搭載してぶどうや桃等を箱詰めし、一定量詰めた段階で別途用意した計量器上にぶどうや桃等を入れた箱を手で持上げて移し変え、そのままあるいは元の受枠まで戻して所定量まで追加したり、または減らしたりして計量していた。
【０００３】
しかしながらこの従来のやり方は、別々の位置に置かれた受枠から計量器上まで、あるいは計量器上から受枠まで、いちいち手で持上げて移し変えなければならず、作業者に多大の労力を要求するものであるという欠点がある。
そのため、上記欠点を解消しようとして実開昭６２−３０２６号公報（特許文献１参照）のような、計量器と、計量器を収納した台枠と、台枠から衝撃緩衝機構を付設した連結アームを介して、所定の間隔で昇降自在に保持された受枠とを有し、上記連結アームが受枠を上段位置では傾斜して、計量位置では水平に保持するようにした重量物の計量装置が提案されている。
【先行技術文献】
【特許文献】
【０００４】
【特許文献１】実開昭６２−３０２６号公報
【考案の概要】
【考案が解決しようとする課題】
【０００５】
しかしながら実開昭６２−３０２６号公報（特許文献１参照）の考案においては、スプリングからなる衝撃緩衝機構を付設されていて、受枠の前面に固設された操作レバーを持って受枠ごと昇降させる機構を採用している。
そのため、スプリングの「へたれ」が生じやすく、また操作レバーを持って受枠ごと昇降させる作業に力が必要になり、長時間の使用が難しいという欠点があった。
本考案は従来例の上記欠点を解消したもので、簡単な構造で上記受枠から計量器上まで、あるいは計量器上から受枠まで、ぶどうや桃等を入れた箱をいちいち手で持上げて移し変える必要がないことはもちろん、長時間に使用にも無理なく耐えることができる収穫物の計量装置を提供しようとするものである。
【課題を解決するための手段】
【０００６】
すなわち本考案の収穫物の計量装置は、箱入りの収穫物を搭載可能な計量器と、該計量器を所定位置に搭載した台枠と、台枠から所定高さの連結枠を介して、首振り自在に保持された受枠とを有し、前記台枠に回転自在に軸着され、前端には受枠の端部をスライド可能に支承する支承部を備えるとともに、軸部の後部には操作レバーを延長し、この操作レバーを用いたてこの原理で、前記受枠を傾斜した作業位置と、水平に保持する計量位置とに作動させるようにしたことを特徴とするものである。
【０００７】
本考案の収穫物の計量装置において、前記台枠から所定高さに立設された連結枠は、計量器の高さや収穫物を入れた箱の高さに応じて、適宜異なる高さの連結枠と交換できるようにしたことをも特徴とするものである。
【０００８】
本考案の収穫物の計量装置において、前記箱入りの収穫物を搭載可能な計量器は、収穫物の搭載面が適宜方向に拡幅されていることをも特徴とするものである。
【０００９】
本考案の収穫物の計量装置において、前記受枠の端部をスライド可能に支承する支承部は、スライド時の抵抗を減少させるローラが付設されていることをも特徴とするものである。
【００１０】
本考案の収穫物の計量装置において、前記受枠の側方からスライドさせて前記箱入りの収穫物を受枠上に搭載可能とする補助台を具備するようにしたことをも特徴とするものである。
【考案の効果】
【００１１】
請求項１の収穫物の計量装置は、操作レバーを用いたてこの原理で、前記受枠を傾斜した作業位置と、水平に保持する計量位置とに作動させるようにしてあるので、長時間の計量作業にも対応することができる。
【００１２】
請求項２の収穫物の計量装置は、前記連結枠が計量器の高さや収穫物を入れた箱の高さに応じて、適宜異なる高さの連結枠と交換できるようにしてあるので、ぶどうや桃等を入れた箱や計量器の高さが変更されても迅速に対応することができ、スムーズに計量することができる。
【００１３】
請求項３の収穫物の計量装置は、前記箱入りの収穫物を搭載可能な計量器が収穫物の搭載面を適宜方向に拡幅されているので、箱のサイズの変更にも迅速に対応することができる。
【００１４】
請求項４の収穫物の計量装置は、前記受枠の端部をスライド可能に支承する支承部がスライド時の抵抗を減少させるローラを付設されているので、操作レバーを用いたてこの原理を無理なく活用して傾斜した作業位置と水平に保持する計量位置とに姿勢を変えることができ、スムーズに計量することができる。
【００１５】
請求項５の収穫物の計量装置は、前記受枠の側方からスライドさせて前記箱入りの収穫物を受枠上に搭載可能とする補助台を具備しているので、前記箱入りの収穫物を受枠上にスライドさせて横送りすることができ、極めてスムーズに計量することができる。
【図面の簡単な説明】
【００１６】
【図１】本発明の収穫物の計量装置の第１実施例を示す概略斜視図である。
【図２】計量器をセットした状態の概略斜視図である。
【図３】その概略側面図である。
【図４】その概略側面透視図である。
【図５】その概略断面図である。
【図６】反対側から見た概略断面図である。
【図７】計量器をセットした状態の概略平面図である。
【図８】使用状態を説明するものであり、収穫物を入れた箱を傾斜した受枠上に搭載しようとする状態を示す概略側面透視図である。
【図９】収穫物を入れた箱を受枠上に搭載した状態を示す概略側面透視図である。
【図１０】収穫物を入れた箱を計量するために操作レバーを操作しようとする状態を示す概略側面透視図である。
【図１１】操作レバーを途中まで操作した状態を示す概略側面透視図である。
【図１２】操作レバーを最後まで操作した状態を示す概略側面透視図である。
【図１３】計量後に操作レバーをもとに戻す操作をしようとする状態を示す概略側面透視図である。
【図１４】操作レバーを途中まで操作した状態を示す概略側面透視図である。
【図１５】本発明の収穫物の計量装置の第２実施例を示す概略斜視図である。
【図１６】計量器をセットした状態の概略斜視図である。
【図１７】その概略側面図である。
【図１８】その概略側面透視図である。
【図１９】その概略断面図である。
【図２０】反対側から見た概略断面図である。
【図２１】計量器をセットした状態の概略平面図である。
【図２２】使用状態を説明するものであり、収穫物を入れた箱を傾斜した受枠上に搭載しようとする状態を示す概略側面透視図である。
【図２３】収穫物を入れた箱を受枠上に搭載した状態を示す概略側面透視図である。
【図２４】収穫物を入れた箱を計量するために操作レバーを操作しようとする状態を示す概略側面透視図である。
【図２５】操作レバーを途中まで操作した状態を示す概略側面透視図である。
【図２６】操作レバーを最後まで操作した状態を示す概略側面透視図である。
【図２７】計量後に操作レバーをもとに戻す操作をしようとする状態を示す概略側面透視図である。
【図２８】操作レバーを途中まで操作した状態を示す概略側面透視図である。
【図２９】受枠の側方からスライドさせて箱入りの収穫物を受枠上に簡易かつ迅速に搭載可能とする補助台を示す概略斜視図である。
【考案を実施するための形態】
【００１７】
以下、この考案の収穫物の計量装置の実施の形態を図面に基づいて詳細に説明する。
図１ないし図１４に示すように、第１実施例の収穫物の計量装置は、箱入りの収穫物を上面に搭載可能な計量器１１を使用する。この計量器１１は上面に搭載面１１ａを配置したアナログ式の計量器で、前面に目盛部分１１ｂを形成してある。この計量器１１は台枠１２内の所定位置に、底板ないし棚板１２ａを介して収納保持され、計量する重量物の重さに応じて取換えられる。
そして、前記計量器１１を所定位置に搭載あるいは収納するようにした台枠１２と、この台枠１２の１辺に立設した所定高さの連結枠１４を介して、首振り自在に保持された受枠１３とを備えるものである。
なお、前記受枠１３はぶどうや桃等の収穫物を入れた箱１７を搭載できるサイズを有し、中央部分には上記計量器１１が露出するような開口を形成してある。図において１３ａは後述の支承部１５ａ上端のローラ１９をガイドするガイド片、１８は収穫物を入れた箱１７を確実に搭載するための延長板である。
【００１８】
図において１５は操作レバーで、前記台枠１２に中間位置を軸部１６で回転自在に軸着され、前端には前記受枠１３の端部をスライド可能に支承する支承部１５ａを備えるとともに、軸部１６の後部を延長して操作部１５ｂとしてあり、この操作レバー１５を用いたてこの原理で、前記受枠１３を傾斜した作業位置Ｗと、水平に保持する計量位置Ｐとに移動させるようにしたものである。
このように、操作レバー１５を用いたてこの原理で、前記受枠１３を傾斜した作業位置と、水平に保持する計量位置とに簡単に変えることができ、長時間の計量作業にも難なく対応することができる。
【００１９】
本考案の収穫物の計量装置において、前記台枠１２から所定高さに立設された連結枠１４は複数の長さのものを用意してあり、前記計量器１１の高さや収穫物を入れた箱１７の高さに応じて、適宜異なる高さの連結枠１４と交換できるようになっている。
したがって、ぶどうや桃等を入れた箱１７や計量器１１の高さが変更されても迅速に対応することができ、スムーズに計量することができるので非常に有意義である。
【００２０】
本考案の収穫物の計量装置において、前記収穫物の入った箱１７を搭載可能な計量器１１は、収穫物の箱１７の搭載面１１ａに所定間隔で複数本の延長板１８を貼付ないしネジ止め等によって取付けることにより、適宜方向に拡幅してある。
したがって、収穫物の規格の変更等に応じた箱１７のサイズの変更等にも迅速に対応することができる。
【００２１】
本考案の収穫物の計量装置において、前記受枠１３の端部をスライド可能に支承する支承部１５ａには、スライド時の抵抗を減少させるローラ１９が付設してある。
したがって、前記操作レバー１５を用いたてこの原理を無理なく活用して傾斜した作業位置と水平に保持する計量位置とに姿勢を変えることができ、スムーズに計量することができる。
【００２２】
本考案の収穫物の計量装置に使用に際しては、図１ないし図７に示すように、適宜の計量器１１を前記台枠１２内の所定位置に収納保持する。なお計量器１１は、計量する収穫物入りの箱１７の重さに応じて取換えることができる。
次に、図８および図９に示すように、前記受枠１３を傾けた状態で収穫物を入れる箱１７をその上面に搭載し、収穫物の箱詰め作業を行う。
ある程度箱詰めが進んだ状態で、図１０に示すように、前記操作レバー１５を押して支承部１５ａのローラ１９を回転させつつ、図１１に示すように、支承部１５ａを倒していき、図１２に示すように、前記受枠１３を水平位置になるようにする。すると、該受枠１３上の箱１７が前記計量器１１の搭載面１１ａに搭載され、その重さが計られる。
図において２０は、前記受枠１３を水平位置において保持する支持アームである。
まだ重さの調整が必要な場合には、操作レバー１５を引いて前記受枠１３を傾けた状態とし、再度収穫物の箱詰め作業を行う。図１３および図１４は操作レバー１５を引いて前記受枠１３を傾けた状態になるようにする操作を示す。
【００２３】
このようにして前記受枠１３は操作レバー１５の操作で無理なく計量器１１上を昇降する。したがってぶどうや桃等を入れた箱１７を前記受枠１３上に載せ、前記操作レバー１５を持って前記受枠１３ごと昇降させるだけで計量や箱詰め作業を行うことができる。
【００２４】
以下、この考案の収穫物の計量装置の実施の形態を図面に基づいて詳細に説明する。
図１５ないし図２８に示すように、第２実施例の収穫物の計量装置は、箱入りの収穫物を上面に搭載可能な計量器２１を使用する。この計量器２１は上面に搭載面２１ａを配置したデジタル式の計量器で、前面に数字表示部分２１ｂを形成してある。この計量器２１は台枠２２内の所定位置に、底板ないし棚板２２ａを介して収納保持され、計量する重量物の重さに応じて取換えられる。
そして、前記計量器２１を所定位置に搭載あるいは収納するようにした台枠２２と、この台枠２２の１辺に立設した所定高さの連結枠２４を介して、首振り自在に保持された受枠２３とを備えるものである。
なお、前記受枠２３はぶどうや桃等の収穫物を入れた箱２７を搭載できるサイズを有し、中央部分には上記計量器２１が露出するような開口を形成してある。
図において２３ａは後述の支承部２５ａ上端のローラ２９をガイドするガイド片、２８は収穫物を入れた箱２７を確実に搭載するための延長板である。
【００２５】
図において２５は操作レバーで、前記台枠２２に中間位置を軸部２６で回転自在に軸着され、前端には前記受枠２３の端部をスライド可能に支承する支承部２５ａを備えるとともに、軸部２６の後部を延長して操作部２５ｂとしてあり、この操作レバー２５を用いたてこの原理で、前記受枠２３を傾斜した作業位置Ｗと、水平に保持する計量位置Ｐとに移動させるようにしたものである。
このように、操作レバー２５を用いたてこの原理で、前記受枠２３を傾斜した作業位置と、水平に保持する計量位置とに簡単に変えることができ、長時間の計量作業にも難なく対応することができる。
【００２６】
本考案の収穫物の計量装置において、前記台枠２２から所定高さに立設された連結枠２４は複数の長さのものを用意してあり、前記計量器２１の高さや収穫物を入れた箱２７の高さに応じて、適宜異なる高さの連結枠２４と交換できるようになっている。
したがって、ぶどうや桃等を入れた箱２７や計量器２１の高さが変更されても迅速に対応することができ、スムーズに計量することができるので非常に有意義である。
【００２７】
本考案の収穫物の計量装置において、前記収穫物の入った箱２７を搭載可能な計量器２１は、収穫物の箱２７の搭載面２１ａに所定間隔で複数本の延長板２８を貼付ないしネジ止め等によって取付けることにより、適宜方向に拡幅してある。
したがって、収穫物の規格の変更等に応じた箱２７のサイズの変更等にも迅速に対応することができる。
【００２８】
本考案の収穫物の計量装置において、前記受枠２３の端部をスライド可能に支承する支承部２５ａには、スライド時の抵抗を減少させるローラ２９が付設してある。
したがって、前記操作レバー２５を用いたてこの原理を無理なく活用して傾斜した作業位置と水平に保持する計量位置とに姿勢を変えることができ、スムーズに計量することができる。
【００２９】
本考案の収穫物の計量装置に使用に際しては、図１５ないし図２１に示すように、適宜の計量器２１を前記台枠２２内の所定位置に収納保持する。なお計量器２１は、計量する収穫物入りの箱２７の重さに応じて取換えることができる。
次に、図２２および図２３に示すように、前記受枠２３を傾けた状態で収穫物を入れる箱２７をその上面に搭載し、収穫物の箱詰め作業を行う。
ある程度箱詰めが進んだ状態で、図２４に示すように、前記操作レバー２５を押して支承部２５ａのローラ２９を回転させつつ、図２５に示すように、支承部２５ａを倒していき、図２６に示すように、前記受枠２３を水平位置になるようにする。すると、該受枠２３上の箱２７が前記計量器２１の搭載面２１ａに搭載され、その重さが計られる。
図において３０は、前記受枠２３を水平位置において保持する支持アームである。
まだ重さの調整が必要な場合には、操作レバー２５を引いて前記受枠２３を傾けた状態とし、再度収穫物の箱詰め作業を行う。図２７および図２８は操作レバー２５を引いて前記受枠２３を傾けた状態になるようにする操作を示す。
【００３０】
このようにして前記受枠２３は操作レバー２５の操作で無理なく計量器２１上を昇降する。したがってぶどうや桃等を入れた箱２７を前記受枠２３上に載せ、前記操作レバー２５を持って前記受枠２３ごと昇降させるだけで計量や箱詰め作業を行うことができる。
【００３１】
図２９は、前記受枠２３の側方からスライドさせて箱２７入りの収穫物を受枠２３上に簡易かつ迅速に搭載可能とする補助台３１を示すものである。
したがって、前記収穫物の計量装置は、前記箱２７入りの収穫物を補助台３１上に複数搭載しておき、箱詰めが終わった箱２７入りの収穫物から順に補助台３１上を横方向にスライドさせて前記受枠２３上に搭載することにより、非常に効率よく箱詰めおよび計量を行うことができるようになった。
【産業上の利用可能性】
【００３２】
この考案の収穫物の計量装置は以上のように構成したので、ぶどうや桃等を箱詰めする場合には、前下がりに傾斜した受枠に箱を搭載して効率良くぶどうや桃等の箱詰め作業をすることができる。
したがって誰にでも簡単に計量作業が行なえるようになり、またコンベアライン中に組込んで計量工程を自動化することもできるため、前記受枠のサイズや形状を変えることにより、野菜や果実だけでなく広範囲の用途に使用することができる。
【符号の説明】
【００３３】
１１  計量器
１１ａ  搭載面
１１ｂ  目盛部分
１２  台枠
１２ａ  棚板
１３  受枠
１３ａ  ガイド片
１４  連結枠
１５  操作レバー
１５ａ  支承部
１５ｂ  操作部
１６  軸部
１７  箱
１８  延長板
１９  ローラ
２０  支持アーム
２１  計量器
２１ａ  搭載面
２１ｂ  目盛部分
２２  台枠
２２ａ  棚板
２３  受枠
２３ａ  ガイド片
２４  連結枠
２５  操作レバー
２５ａ  支承部
２５ｂ  操作部
２６  軸部
２７  箱
２８  延長板
２９  ローラ
３０  支持アーム
３１  補助台
Ｗ  作業位置
Ｐ  計量位置
【図１】
0003218214.tif 000003
【図２】
0003218214.tif 000004
【図３】
0003218214.tif 000005
【図４】
0003218214.tif 000006
【図５】
0003218214.tif 000007
【図６】
0003218214.tif 000008
【図７】
0003218214.tif 000009
【図８】
0003218214.tif 000010
【図９】
0003218214.tif 000011
【図１０】
0003218214.tif 000012
【図１１】
0003218214.tif 000013
【図１２】
0003218214.tif 000014
【図１３】
0003218214.tif 000015
【図１４】
0003218214.tif 000016
【図１５】
0003218214.tif 000017
【図１６】
0003218214.tif 000018
【図１７】
0003218214.tif 000019
【図１８】
0003218214.tif 000020
【図１９】
0003218214.tif 000021
【図２０】
0003218214.tif 000022
【図２１】
0003218214.tif 000023
【図２２】
0003218214.tif 000024
【図２３】
0003218214.tif 000025
【図２４】
0003218214.tif 000026
【図２５】
0003218214.tif 000027
【図２６】
0003218214.tif 000028
【図２７】
0003218214.tif 000029
【図２８】
0003218214.tif 000030
【図２９】
0003218214.tif 000031